(57)【特許請求の範囲】
【請求項１】
開放された側面を有する開放断面の長尺採取部材を施工終了直後の改良地盤内に挿入し、所定の深度に達すると、回転レバーにより地上からの操作で回転式底蓋を水平方向に１８０度旋回させて前記長尺採取部材の底面を回転式底蓋により閉塞すると共に開放側面を側面部材により周囲の改良土から縁切りし、試料土が充填された長尺採取部材を地上に引き上げることを特徴とする試料土採取方法。
【請求項２】
開放された側面を有する開放断面の長尺採取部材と、この長尺採取部材の下端に長尺採取部材の底面を開閉可能に設けられた底蓋と、前記長尺採取部材の開放側面に上方から挿入されて開放側面を周囲の改良土から縁切りする側面部材を備えており、前記底蓋が回転レバーにより地上からの操作で水平方向に１８０度旋回させることにより長尺採取部材の底面を閉塞する回転式底蓋であることを特徴とする試料土採取装置。
【発明の詳細な説明】
【０００１】
【発明の属する技術分野】
本発明は、施工直後の改良地盤（ソイルセメント体）に挿入して試料土を採取するための試料土採取方法およびこの方法に使用する試料土採取装置に関するものである。
【０００２】
【従来の技術】
現地地盤土とセメント系固化材液を攪拌混合してソイルセメント体を構築する地盤改良工法においては、構築されたソイルセメント体の品質管理のために試料土を採取することが行なわれており、従来においては、地盤改良の施工直後に塩化ビニールパイプ等を改良地盤内に所定の深度まで挿入し、ソイルセメント体が完全に硬化する前に、塩化ビニールパイプを引き上げることで、試料土を採取していた。また、ソイルセメント体が完全に硬化した後、コアボーリングにより採取する方法もある。
【０００３】
【発明が解決しようとする課題】
しかし、従来の塩化ビニールパイプ等の閉鎖断面の採取装置の場合、パイプを押し込む時に、改良土の粘着力が高いため、内周面摩擦が作用する所謂閉塞効果により、試料土が採取できない場合や、試料土が圧縮されて性状の変化したものとなることがあるなどの問題点があった。
【０００４】
また、塩化ビニールパイプ等の場合、施工直後にパイプを挿入してソイルセメント体が硬化した後にパイプを引き上げるため、コアボーリングの場合には、硬化後の改良土を採取するため、事後の品質管理となると共に、時間やコストがかかるなどの問題点もあった。
【０００５】
本発明は、このような問題点を解消すべくなされたもので、その目的は、比較的簡単な構成の装置で、所定位置の改良土を圧縮することなくそのままの状態で容易に確実に採取することができると共に、施工直後の未だ固まっていない状態の改良土を迅速に採取することができる試料土採取方法および装置を提供することにある。
【０００６】
【課題を解決するための手段】
本発明の試料土採取方法は、開放された側面を有する開放断面の長尺採取部材（Ｈ形鋼，半円鋼管，チャンネル材等）を施工終了直後の改良地盤内に挿入し、所定の深度に達すると、回転レバーにより地上からの操作で回転式底蓋を水平方向に１８０度旋回させて前記長尺採取部材の底面を回転式底蓋により閉塞すると共に開放側面を側面部材により周囲の改良土から縁切りし、試料土が充填された長尺採取部材を地上に引き上げることを特徴とする（請求項１）。
【０００７】
本発明の試料土採取装置は、開放された側面を有する開放断面の長尺採取部材（Ｈ形鋼，半円鋼管，チャンネル材等）と、この長尺採取部材の下端に長尺採取部材の底面を開閉可能に設けられた底蓋と、前記長尺採取部材の開放側面に上方から挿入されて開放側面を周囲の改良土から縁切りする側面部材を備えており、前記底蓋が回転レバーにより地上からの操作で水平方向に１８０度旋回させることにより長尺採取部材の底面を閉塞する回転式底蓋であることを特徴とする（請求項２）。
【０００８】
回転式底蓋は、回転レバーを介して地上からの操作で水平方向に回転して長尺採取部材の底面を閉塞できるようにする。側面部材は、長尺採取部材の開放側面を完全に閉塞できるように長尺採取部材と同じ長さの側面板としてもよいし、長尺採取部材の下部のみを閉塞できる部分的な側面板としてもよい。即ち、底蓋は、採取した試料土が落下しないように長尺採取部材の底面を閉塞させる必要があるが、側面部材は、長尺採取部材の開放側面を必ずしも完全に閉塞する必要がなく、側面板の挿入で開放側面を周囲の改良土から縁切りできればよい。
【０００９】
以上のような構成において、施工直後の改良地盤内に開放断面の長尺採取部材を挿入していくため、従来の閉鎖断面パイプのような内周面摩擦による閉塞効果がなく、長尺採取部材の採取空間内に試料土が円滑に進入していき、圧縮されていない連続した試料土が得られる。所定の深度に達すると、長尺採取部材の底面および開放側面を閉じることにより、試料土を周囲の改良土から縁切りすることができ、施工直後の未固化試料土を脱落させることなく確実に迅速に採取することができる。
【００１０】
【発明の実施の形態】
以下、本発明を図示する実施の形態に基づいて説明する。図１は本発明の試料土採取装置の１例を示したものである。図２はその試料土採取装置による採取方法を工程順に示したものである。図３は本発明の試料土採取装置の変形例を示したものである。
【００１１】
図１の例において、試料土採取装置１は、主として、Ｈ形鋼からなる開放断面の長尺採取部材２と、長尺採取部材２の下端に設けられる回転式底蓋３と、長尺採取部材２の一方の側の開放側面に上方から挿入される側面部材４から構成され、両側に開放側面（空間）を有するＨ形鋼（長尺採取部材２）の片側に試料土の採取空間Ａが形成される。
【００１２】
回転式底蓋３は、回転レバー５により地上からの操作で回転開閉可能とする。回転レバー５は、長尺採取部材２より長い棒材５ａと、棒材５ａの上端に一体的に設けられる把手５ｂから構成し、棒材５ａの下端に回転式底蓋３を固定する。棒材５ａは長尺採取部材２のウェブの空間Ｂ側の面に簡単な軸受け（図示せず）により回転自在に支持固定し、棒材５ａを１８０°回転させることにより、空間Ｂの下面に位置している回転式底蓋３が１８０°旋回して採取空間Ａの下面を覆うようにする。回転式底蓋３は、採取空間Ａの下面を塞ぐことのできる平面視四角形状の鋼板とする。
【００１３】
側面部材４は、長尺採取部材２の採取空間Ａ側の平行フランジ先端にそれぞれ設けた案内レール６，６にガイドされて上方から長尺採取部材２の開放側面に挿入され、採取空間Ａの開放側面を周囲の改良土から縁切りする部材である。この側面部材４は、図１に示すように、長尺採取部材２と同じ長さの鋼板とし、長尺採取部材２の開放側面を完全に閉塞できるようにしてもよいし、図２に示すように、下部の側面板４ａとこの側面板４ａから一体的に立ち上がる棒状部４ｂから構成し、側面板４ａの押し込み移動により長尺採取部材２内の試料土と周囲の改良土の縁切りを行なうようにしてもよい。
【００１４】
案内レール６は断面Ｌ字状の鋼材とし、これを長尺採取部材２のフランジ先端に溶接等で固定することにより、側面部材４の端部が係合する係合溝を形成し、側面部材４が横方向に離脱しないようにする。また、側面部材４の下端は回転式底蓋３の上に載り、下方に落下しないようにする。
【００１５】
以上のような構成の試料土採取装置１を使用して次のように試料土の採取を行なう（図２参照）。
(1) 地盤改良施工直後に、長尺採取部材２をワイヤロープ等で吊り下げ、自重あるいは施工機械により改良地盤中に押し込み、あるいはバイブロハンマー等を用いて改良地盤中に挿入する。この時、回転式底蓋３は採取空間Ａの反対側の空間Ｂの下面に配置しておく。
【００１６】
(2) 長尺採取部材２が所定の深度まで達すると、回転式底蓋３を回転レバー５により１８０°旋回させて採取空間Ａの底面に位置させ、底面における改良土の縁切りを行なうと同時に、採取空間Ａの底面を閉塞する。
【００１７】
(3) 案内レール６を案内として側面部材４を押し込み、採取空間Ａの開放側面における改良土の縁切りを行なうと共に、採取空間Ａの開放側面を部分的にあるいは全体的に閉塞し、閉鎖断面とする。これにより、採取空間Ａ内に未固化の試料土Ｓが圧縮されることなく連続して充填される。
【００１８】
(4) 回転式底蓋３および側面部材４が閉じた状態の長尺採取部材２を引き上げ、地上に回収する。
(5) 長尺採取部材２を水平に置き、側面部材４を長尺採取部材２から抜き出して、試料土の観察を行なう。必要に応じて、ブロックサンプリング、または強度確認のための供試体の作製を行なう。
【００１９】
以上は長尺採取部材２にＨ形鋼を用いた例であるが、図３(a),(b) に示すように、半円鋼管からなる長尺採取部材１２を使用することもできる。この場合、円形の回転式底蓋１３および半円鋼管からなる側面部材１４を使用すれば、円柱状の試料土が得られる。側面部材１４の案内支持は、長尺採取部材１２の両端部に設けたＣ型チャンネル材やリップ付きチャンネル材等からなる雌型の案内レール１６と、側面部材１４の両端部に設けた平板等からなる雄型の突条１７とにより行なえばよい。
【００２０】
また、図３(c) に示すように、半円形の回転式底蓋１３’と平板状の側面部材１４’を用いてもよい。さらに、図３(d) に示すように、断面コ字状の長尺採取部材１２’を使用するなど、種々の態様を採用することができることはいうまでもない。
【００２１】
【発明の効果】
本発明は、以上のような構成からなるので、次のような効果を奏することができる。
【００２２】
（1）施工直後の改良地盤内に開放断面の長尺採取部材を挿入していくため、従来の閉鎖断面パイプのような内周面摩擦による閉塞効果がなく、長尺採取部材の採取空間内に試料土が円滑に進入していき、圧縮されていない連続した試料土を得ることができる。
その上、回転式底蓋を回転レバーにより水平方向に１８０°旋回させ、採取空間の底面を閉塞するため、上記のように圧縮されていない連続した試料土を得ることができる。
【００２３】
(2) 所定の深度に達すると、長尺採取部材の底面および開放側面を閉じることにより、試料土を周囲の改良土から縁切りすることができ、施工直後の未固化試料土を脱落させることなく確実に迅速に採取することができ、施工直後の地盤改良体の品質管理を行なうことができる。
【００２４】
(3) 比較的簡単な構成の装置で容易に迅速に採取を行なうことができ、コストの低減を図ることができる。
【図面の簡単な説明】
【図１】本発明の試料土採取装置の１例を示す正面図および底面図であり、(a) は挿入時、(b) は引上時を示す。
【図２】図１の試料土採取装置による試料土採取方法を工程順に示す斜視図である。
【図３】本発明の試料土採取装置の変形例であり、(a) は斜視図、(b) 〜(d) は平面図である。
【符号の説明】
１……試料土採取装置
２……長尺採取部材
３……回転式底蓋
４……側面部材
５……回転レバー
６……案内レール
１２……長尺採取部材
１３……回転式底蓋
１４……側面部材
１５……回転レバー
１６……雌型の案内レール
１７……雄型の突条
【図１】
0003913930.tif 000002
【図２】
0003913930.tif 000003
【図３】
0003913930.tif 000004